【手続補正書】
【提出日】平成21年5月1日(2009.5.1)
【手続補正１】
【補正対象書類名】特許請求の範囲
【補正対象項目名】全文
【補正方法】変更
【補正の内容】
【特許請求の範囲】
【請求項１】
アンカアセンブリであって、
頭部と、前記頭部から延びる、骨要素に係合するための下方部分とを有するアンカ部材と、
前記アンカの前記頭部に枢動式に結合される結合部材であって、前記結合部材が、前記頭部を受けるための内部レセプタクルを画成する下方受容部分と、前記下方受容部分から前記頭部から離れる方向に延びるポストとを有し、前記ポストが、係止部材に係合するように構成され、前記下方受容部分が、前記結合部材の外部と連通する少なくとも１つの側壁開口部を画成する、係合部材と、
前記結合部材の前記レセプタクル内で、前記アンカ部材の前記頭部の周りに位置決めされる冠部であって、前記冠部が座部を備え、前記座部が、インプラント部材を前記係止部材と前記座部との間に固定するために、前記結合部材の前記ポストの周りに位置決めされる前記インプラント部材と接触して位置決めされるよう前記少なくとも１つの側壁開口部と連通する、冠部と
を備える、アンカアセンブリ。
【請求項２】
前記アンカ部材の前記下方部分が、ねじ切りされたシャフトを備える、請求項１に記載のアセンブリ。
【請求項３】
前記アンカ部材が、前記頭部と前記ねじ切りされたシャフトとの間にねじ切りされていない首部分を備える、請求項２に記載のアセンブリ。
【請求項４】
前記首部分の周りに位置決めされ、前記結合部分と前記頭部との間に延びるクリップをさらに備え、前記クリップは、前記アンカ部材を前記結合部材内に保持するために、前記クリップを前記頭部が通過することを防止するようにサイズ決めされる、請求項３に記載のアセンブリ。
【請求項５】
前記頭部が、その周りに延び前記冠部の方へと向けられる複数のリッジを備える、請求項１に記載のアセンブリ。
【請求項６】
前記複数のリッジは、前記インプラントが前記係止部材を用いて前記座部に対して固定されるとき、前記冠部に係合し、前記リッジと前記冠部との間の前記係合は、前記アンカ部材が前記結合部材に対して相対的に枢動することを防止する、請求項５に記載のアセンブリ。
【請求項７】
前記冠部の前記座部がそこから延びるアームを備え、前記結合部材の前記少なくとも１つの側壁開口部が対向窓を備え、前記アームが、前記対向窓のそれぞれ一方を通って位置決めされる、請求項１に記載のアセンブリ。
【請求項８】
前記冠部が前記座部から延びるカップ部分を備え、前記カップ部分が、前記アンカ部材の前記頭部を内部に受けるためのレセプタクルを備える、請求項７に記載のアセンブリ。
【請求項９】
前記冠部が、前記座部を貫通し前記カップ部分の前記レセプタクル内へと延びる貫通穴を備える、請求項８に記載のアセンブリ。
【請求項１０】
前記ポストが、前記係止部材をその周りにねじ式に受けるための雄ねじを備える、請求項１に記載のアセンブリ。
【請求項１１】
前記係止部材が、中心ボアの周りに延びる壁部を有する本体を備え、前記中心ボアは、前記係止部材がそこに係合されるとき前記ポストを受け、前記壁部がスロットを備え、前記スロットが前記壁部を貫通し、前記ボアに対して横向きに前記ボアと連通して延びる、請求項１０に記載のアセンブリ。
【請求項１２】
前記ポストは対向する平坦面を備え、前記平坦面がポストの長さに沿って延び、対向する湾曲ねじ切り面によって相互連結される、請求項１に記載のアセンブリ。
【請求項１３】
前記ポストが、前記レセプタクルと連通する軸方向通路を画成する、請求項１に記載のアセンブリ。
【請求項１４】
脊椎プレート取付けシステムであって、
細長プレート部材であって、上面と反対側の下面との間に、前記プレート部材を貫通する少なくとも１つの開口部を備え、前記下面が脊柱に沿って配置可能である、細長プレート部材と、
前記プレート部材に係合可能なアンカアセンブリと
を備え、前記アンカアセンブリが、
前記少なくとも１つの開口部を通して位置決め可能なポスト、および前記プレート部材の下面に隣接して位置決め可能でありレセプタクルを備える受容部分を有する、結合部材と、
前記受容部分の前記レセプタクル内で枢動式に捕捉される頭部、および前記脊柱の骨構造に係合するために前記頭部から延びる下方部分を備える、アンカ部材と、
前記レセプタクル内の前記頭部に隣接して位置決めされる冠部であって、前記結合部材を通り前記プレート部材の前記下面に沿って延びる座部を備える、冠部と、
前記ポストに係合可能であり、前記プレート部材の前記下面を前記冠部の前記座部と接触して固定するために、前記プレートの前記上面と接触して位置決め可能である係止部材とを備える、脊椎プレート取付けシステム。
【請求項１５】
前記結合部材が少なくとも１つの窓を備え、前記座部が前記少なくとも１つの窓から突出する、請求項１４に記載のシステム。
【請求項１６】
前記結合部材が対向窓を備え、前記座部が、前記対向窓のそれぞれ１つを通って突出する対向アームを備える、請求項１４に記載のシステム。
【請求項１７】
前記アンカ部材の前記下方部分がねじ切りされたシャフトを備える、請求項１４に記載のシステム。
【請求項１８】
前記アンカ部材が、前記頭部と前記ねじ切りされたシャフトとの間にねじ切りされていない首部分を備える、請求項１７に記載のシステム。
【請求項１９】
前記首部分の周りに配置され、前記結合部材と前記頭部との間に延びるクリップをさらに備え、前記クリップが、前記アンカ部材を前記結合部材の前記レセプタクル内に保持するために、前記クリップを前記頭部が通過することを防ぐようにサイズ決めされる、請求項１８に記載のシステム。
【請求項２０】
前記頭部は、その周りで前記冠部に隣接して延びる複数のリッジを備える、請求項１４に記載のシステム。
【請求項２１】
プレート部材が前記係止部材を用いて前記座部に対して固定されるとき、前記複数のリッジが前記冠部に係合し、前記リッジと前記冠部との間の前記係合が、前記係合部材に対して前記アンカ部材が枢動することを妨げる、請求項２０に記載のシステム。
【請求項２２】
前記冠部が前記座部から延びるカップ部分を備え、前記カップ部分が、前記アンカ部材の前記頭部を内部に受けるためのレセプタクルを備える、請求項２１に記載のシステム。
【請求項２３】
前記冠部が、前記座部を通り前記カップ部分の前記レセプタクル内へと延びる貫通穴を備える、請求項２２に記載のシステム。
【請求項２４】
前記ポストが、前記係止部材を前記ポストの周りでねじ式に受けるための、該ポストに沿って延びる雄ねじを備える、請求項１４に記載のシステム。
【請求項２５】
前記係止部材が、前記ポストを受けるための中心ボアの周りで延びる壁部を有する本体を備え、前記壁部がスロットを備え、前記スロットが、前記壁部を貫通し前記ボアに対して横方向に前記ボアと連通して延びる、請求項２４に記載のシステム。
【請求項２６】
前記プレート部材の前記少なくとも１つの開口部が、細長スロットを備える、請求項１４に記載のシステム。
【請求項２７】
前記プレート部材がロッド受容部分を備え、前記ロッド受容部分が、前記細長スロットに対して横方向に延びる通路を画成し、前記通路は該通路を通るロッドを受ける、請求項２６に記載のシステム。
【請求項２８】
前記プレート部材が、前記上面および下面に沿った湾曲プロファイルを備える、請求項１４に記載のシステム。
【請求項２９】
前記プレート部材が、該プレート部材に沿った複数のスロットを備える、請求項１４に記載のシステム。
【請求項３０】
脊椎プレート取付けシステムであって、
長手軸に沿って延び、前記プレート部材を通って上面と反対側の下面との間に延びる少なくとも１つの開口部を備え、前記下面を脊柱に向かって位置決めすることができる、細長プレート部材と、
前記プレート部材に係合可能なアンカアセンブリと
を備え、前記アンカアセンブリは、
ポストを備える結合部材であって、前記ポストが、前記少なくとも１つの開口部を通して位置決め可能であり、前記プレート部材に対して前記結合部材が枢動しないように前記プレート部材と係合可能であり、前記結合部材が、前記プレート部材の前記下面に沿って位置決め可能な受容部分を備え、前記受容部分が、前記プレート部材から離れる方向に向かって開くレセプタクルを備える、結合部材と、
前記受容部分の前記レセプタクル内で枢動式に捕捉される頭部を備えるアンカ部材であって、前記脊柱の骨構造に係合するために前記頭部から延びる下方部分を備え、前記ポストが前記少なくとも１つの開口部内で前記プレート部材に係合するとき、前記プレート部材および前記受容部分に対して枢動するアンカ部材と
を備える、脊柱プレートシステム。
【請求項３１】
前記アンカアセンブリが、
前記結合部材の前記レセプタクル内で前記アンカ部材の前記頭部に隣接して配置される冠部であって、前記結合部材を通り前記プレート部材の前記下面に沿って延びる座部を備える冠部と、
前記ポストへと係合可能であり、前記プレート部材の前記下面を前記冠部の前記座部と接触して固定するために、前記プレート部材の前記上面と接触して位置決め可能な係止部材とを備える、請求項３０に記載のシステム。
【請求項３２】
前記結合部材が、前記レセプタクル内へと開く対向窓を備え、前記冠部の前記座部が、前記窓を通って延びる、請求項３１に記載のシステム。
【請求項３３】
前記プレート部材の前記下面を前記座部に対して堅く係合させ、それによって前記冠部を前記アンカ部材の前記頭部に対して係合させるように、前記係止部材が前記プレート部材の前記上面と接触して位置決めされるとき、前記アンカ部材が、前記受容部分内に非枢動式に係合する、請求項３１に記載のシステム。
【請求項３４】
前記冠部が、前記座部から延びるカップ部分を備え、前記カップ部分が、前記アンカ部材の前記頭部を受けるためのレセプタクルを画成し、前記アンカ部材の前記頭部が、前記アンカ部材を前記結合部材内に非枢動式に固定するために、前記カップ部分に係合するための複数のリッジを備える、請求項３３に記載のシステム。
【請求項３５】
前記係止部材が、前記プレート部材の前記下面を前記冠部の前記座部に対して堅く係合させるように、前記プレート部材の前記上面と接触して位置決めされるとき、前記アンカ部材が、前記結合部材内で枢動する、請求項３１に記載のシステム。
【請求項３６】
前記プレート部材の前記開口部が、前記プレート部材の前記長手軸に沿った少なくとも１つの細長いスロットを含む、請求項３０に記載のシステム。
【請求項３７】
前記プレート部材は、前記上面が凹状となり前記下面が凸状となるように、前記長手軸に沿って湾曲させられる、請求項３０に記載のシステム。
【請求項３８】
前記プレート部材が、細長ロッドを受けるための通路を画成するロッド受容部分を備える、請求項３０に記載のシステム。
【請求項３９】
前記少なくとも１つの開口部が、前記通路に対して横方向に延びる細長スロットである、請求項３８に記載のシステム。
【請求項４０】
前記アンカ部材の前記下方部分が、ねじ切りされたシャフトを備える、請求項３０に記載のシステム。
【請求項４１】
前記アンカ部材が、前記頭部から前記ねじ切りされたシャフトの遠位端を通って延びる内腔を備える、請求項４０に記載のシステム。
【請求項４２】
前記頭部が、前記内腔と連通する凹部と係合するツールを備える、請求項４１に記載のシステム。
【請求項４３】
前記結合部材が、前記ポストを通って軸方向に延び前記レセプタクルと連通する内部通路を備える、請求項３０に記載のシステム。
【請求項４４】
前記通路の少なくとも一部が駆動ツールと係合するように構成される、請求項４３に記載のシステム。
【請求項４５】
前記アンカ部材の前記頭部が、前記レセプタクルと連通するツール係合凹部を備える、請求項４３に記載のシステム。
【請求項４６】
前記アンカアセンブリが、前記レセプタクル位置内で前記アンカ部材の前記頭部の周りにある冠部を備え、前記冠部が、前記結合部材の前記通路および前記アンカ部材の前記ツール係合凹部と位置合せ可能な貫通穴を備える、請求項４５に記載のシステム。
【請求項４７】
アンカアセンブリであって、
近位端と、骨要素と係合するための、前記近位端から延びる遠位端とを備える、アンカ部材と、
前記アンカの前記近位端と枢動式に結合する結合部材であって、前記結合部材が、長手軸に沿って延び、前記近位端を受けるために前記軸の周りに延びる内部レセプタクルを画成する下方受容部分と、前記受容部分から前記軸に沿って前記近位端から離れる方向に延びるポストとを備え、前記結合部材が、前記結合部材の外部と連通する少なくとも１つの軸方向に延びる窓を画成する、結合部材と、
前記ポストに係合可能な部材と、
前記結合部材の前記レセプタクル内で前記アンカ部材の前記近位端に隣接して位置決めされる冠部であって、前記結合部材の前記ポストに係合される前記部材と接触して位置決めされるように、前記少なくとも１つの窓と連通して軸方向に延びる座部を備える冠部と
を備える、アンカアセンブリ。
【請求項４８】
前記ポストが、前記長手軸に沿って延び前記受容部分の前記レセプタクルと連通する内部通路を備える、請求項４７に記載のアセンブリ。
【請求項４９】
前記アンカ部材が、前記遠位部分に沿ったねじ切りされたシャフトと、前記近位端にある拡大された頭部とを備える、請求項４７に記載のアセンブリ。
【請求項５０】
前記首部分の周りに位置決めされ、前記結合部材と前記頭部との間に延びる保持クリップをさらに備え、前記保持クリップが、前記レセプタクルの遠位に向けられた開口部の周りで前記結合部材にねじ式に係合するねじ切りされた部分を備え、前記保持クリップが径方向内側に延びるフランジを備え、前記フランジは前記アンカ部材の前記頭部の周りに延び、前記アンカ部材を前記結合部材内に保持するために、前記フランジを前記頭部が通過することを防ぐようにサイズ決めされる、請求項４９に記載のアセンブリ。
【請求項５１】
前記頭部が、その周りに延び前記冠部の方へと向けられる複数のリッジを備える、請求項４９に記載のアセンブリ。
【請求項５２】
前記部材が前記座部に対して固定されるとき、前記複数のリッジが前記冠部に係合し、前記リッジと前記冠部との間の前記係合が、前記結合部材に対して前記アンカ部材が枢動することを防ぐ、請求項５１に記載のアセンブリ。
【請求項５３】
前記ポストが、その長さのかなりの部分に沿って滑らかである、請求項４７に記載のアセンブリ。
【請求項５４】
前記ポストが、その遠位端に隣接するねじプロファイルを備え、前記部材が、前記座部と接触して前記ねじプロファイルとねじ式に係合可能な係止部材である、請求項５３に記載のアセンブリ。
【請求項５５】
前記冠部の前記座部が、多数の軸方向に延びるアームを備え、前記結合部材の前記少なくとも１つの窓が、多数の軸方向に延びる窓を備え、前記多数のアームがそれぞれ、前記多数の窓のそれぞれ１つを通って位置決めされる、請求項４７に記載のアセンブリ。
【請求項５６】
前記冠部が、前記座部から延びる遠位に開くカップ部分を備え、前記カップ部分が、前記アンカ部材の前記近位端を内部に受けるためのレセプタクルを備える、請求項５５に記載のアセンブリ。
【請求項５７】
前記多数のアームが、前記冠部の周りで円周上に分配された少なくとも３つのアームを含み、前記多数の窓が、前記結合部材の周りで円周上に分配された少なくとも３つの窓を含む、請求項５５に記載のアセンブリ。
【請求項５８】
前記ポストが、円形断面と、前記ポストの周りに設けられて前記部材をねじ式に係合させるための雄ねじとを備える、請求項４７に記載のアセンブリ。
【請求項５９】
前記ポストが、ねじ切りされたポスト部分の遠位端の周りで径方向に延びる遠位係合部分を備え、前記係合部分が、前記下方受容部分の近位端開口部とねじ式に係合可能である、請求項４７に記載のアセンブリ。
【請求項６０】
前記少なくとも１つの窓が、前記ポストの前記係合部分を通って延びる、請求項５９に記載のアセンブリ。
【請求項６１】
脊椎インプラントシステムにおいて、
インプラントであって、該インプラントを貫通し上面と反対側の下面との間に延びる少なくとも１つの開口部を備え、前記下面を脊柱に向かって位置決めすることができるインプラントと、
前記インプラントに係合可能なアンカアセンブリと
を備え、前記アンカアセンブリが、
結合部材であって、前記少なくとも１つの開口部を通って位置決め可能なポストと、プレートの前記下面に沿って位置決め可能な受容部分とを有し、前記受容部分が、レセプタクルと、前記レセプタクルと連通し近位に開く少なくとも１つの窓とを備える、結合部材と、
前記受容部分の前記レセプタクル内で枢動式に受けられる頭部と、前記脊柱の骨構造に係合するために前記頭部から延びる遠位部分とを備える、アンカ部材と、
前記頭部を前記レセプタクル内で枢動式に捕捉するために、前記レセプタクルの遠位に向けられた開口部内で前記結合部材に係合可能な保持クリップと、
前記レセプタクル内で前記アンカの前記頭部の周りに位置決めされる冠部であって、前記インプラントと接触して位置決めされるように前記近位に開く窓を通って延びる少なくとも１つの座部を備える冠部と、
前記インプラントを前記座部と接触して前記結合部材に固定するために、前記インプラントと接触する前記ポストに係合可能な係止部材と
を備える、脊椎インプラントシステム。
【請求項６２】
前記ポストが、前記長手軸に沿って延び前記受容部分の前記レセプタクルと連通する内部通路を備える、請求項６１に記載のシステム。
【請求項６３】
前記保持クリップが、前記レセプタクルの前記遠位に向けられた開口部の周りで前記結合部材にねじ式に係合するねじ切りされた部分を備え、前記保持クリップが径方向内側に延びるフランジを備え、前記フランジは前記アンカ部材の前記頭部の周りに延び、前記アンカ部材を前記結合部材内に保持するために、前記フランジを前記頭部が通過することを防ぐようにサイズ決めされる、請求項６１に記載のシステム。
【請求項６４】
前記冠部の前記座部が、多数の軸方向に延びるアームを備え、前記結合部材の前記少なくとも１つの窓が、多数の軸方向に延びる窓を含み、前記多数のアームがそれぞれ、前記多数の窓のそれぞれ１つを通って位置決めされる、請求項６１に記載のシステム。
【請求項６５】
前記多数のアームが、前記冠部の周りに円周上に配置された少なくとも３つのアームを備え、前記多数の窓が、前記結合部材の周りに円周上に配置された少なくとも３つの窓を備える、請求項６４に記載のシステム。